(57)【要約】【課題】面材が框材に接着された固定障子を枠体に容易に交換可能に設置できるとともに、固定障子を枠体に取り付けるための部品点数を少なくできる建具を提供すること。【解決手段】建具としての片上げ下げ窓１は、中骨５を有した窓枠１０と、窓枠１０に固定される外障子２０と、窓枠１０に可動に取り付けられる内障子３０とを備えている。外障子２０は、枠組みされた框材と、この框材に接着されたガラスパネル２４とを備え、枠組みされた框材のうちの一つの下框２２は、中骨５に沿って配置されて当該中骨５に着脱可能に連結される。【選択図】図２
2016069821.tif 000002
【特許請求の範囲】
【請求項１】
中骨を有した枠体と、枠体に固定される固定障子と、枠体に可動に取り付けられる可動障子とを備えた建具であって、
前記固定障子は、四方枠組みされた框材と、前記框材に装着された面材とを備え、
前記枠組みされた框材のうちの一つの連結框は、当該中骨に沿って配置されて前記中骨に着脱可能に連結される
ことを特徴とする建具。
【請求項２】
請求項１に記載の建具において、
前記固定障子は、前記可動障子に対して室外側に位置し、
前記中骨は、中骨室外片部を有し、
前記連結框は、框室外片部を有し、
前記框室外片部は、前記中骨室外片部を室外側から覆うように当該中骨室外片部に対して室外側に離間した位置に設けられる覆い部を有する
ことを特徴とする建具。
【請求項３】
請求項１または請求項２に記載の建具において、
前記固定障子は、前記可動障子に対して室外側に位置し、
前記中骨には、前記面材の室内面に接触する押縁が取り付けられ、
前記連結框は、框室外片部を有し、
前記框室外片部は、前記面材の室外面が接着されて当該室外面を支える支え部を有する
ことを特徴とする建具。
【請求項４】
請求項１から請求項３のいずれか一項に記載の建具において、
前記建具は、前記固定障子が前記枠体の上部に固定され、前記可動障子が前記枠体の下部に上下動可能に取り付けられた片上げ下げ窓によって構成され、
前記連結框は、框見込み片部を有し、
前記中骨は、前記框見込み片部が載置される中骨見込み片部を有する
ことを特徴とする建具。
【請求項５】
請求項４に記載の建具において、
前記固定障子の上部は、前記枠体の上部に嵌合可能に構成され、
前記框見込み片部は、前記中骨見込み片部に載置された状態で当該中骨見込み片部にビス止めされる
ことを特徴とする建具。
【発明の詳細な説明】
【技術分野】
【０００１】
本発明は、枠体内に固定障子と可動障子とが設けられる片上げ下げ窓、片引き窓などの建具に関する。
【背景技術】
【０００２】
建具として、枠体、固定ガラスおよび可動障子を備え、枠体は、上下枠および左右の縦枠が枠組みされるとともに、上下方向における略中央位置に中枠が設けられて構成され、可動障子は、枠体に上下動自在に取り付けられた上げ下げ窓が知られている（特許文献１参照）。
特許文献１に記載の上げ下げ窓において、固定ガラスは、上枠、左右の縦枠および中枠によって形成される開口部に配置され、屋外側から上枠、左右の縦枠および中枠に支えられるとともに、屋内側から押縁部材に支えられることで、当該開口部に設置されている。
【０００３】
また、建具として、サッシ枠、外障子および内障子を備え、サッシ枠は、前述したような中枠を有さず、サッシ上枠、サッシ下枠および左右のサッシ竪枠からなり、内障子は、サッシ枠に上げ下げ可能に取り付けられた上げ下げ窓が知られている（特許文献２参照）。
特許文献２に記載の上げ下げ窓において、外障子は、上框、下框および左右の縦框とで枠組みを形成し、この枠内にガラスパネルを装着して構成されている。そして、外障子は、上框が左右のサッシ竪枠の上部に嵌合され、下框の左右両側に設けられた外障子用ロッド棒が、左右のサッシ竪枠に設けられた略Ｌ字形のストッパーに係合することによってサッシ枠に固定されている。
【先行技術文献】
【特許文献】
【０００４】
【特許文献１】特開平１１−２１０３１１号公報
【特許文献２】特開２００３−１７６６６７号公報
【発明の概要】
【発明が解決しようとする課題】
【０００５】
ところで、特許文献１に記載の上げ下げ窓では、固定ガラス自体を屋外側から上枠、左右の縦枠および中枠によって支えるとともに、屋内側から押縁部材によって押さえつけられることによって建物の開口部に設置される。このように設置される固定ガラスの周縁部分の気密性、水密性などを向上するため、例えば上枠、左右の縦枠や中枠に固定ガラスを接着した場合には、固定ガラスを開口部から容易には外せなくなって交換できなくなってしまう。
【０００６】
また、特許文献２に記載の上げ下げ窓では、上框、下框および左右の縦框とで枠組みした枠内にガラスパネルを装着して構成された外障子を採用し、上框をサッシ縦枠の上部に嵌合し、下框を左右のロッド棒、ストッパーを介して左右のサッシ竪枠に取り付けている。このため、ガラスパネルの周縁部分の気密性、水密性などを向上するため、ガラスパネルを上框、下框や左右の縦框に接着した場合でも、前述したロッド棒をストッパーから取り外すことによって外障子をサッシ枠から取り外すことができ、外障子の交換が可能である。
しかし、このような上げ下げ窓は、中枠を有した特許文献１に記載の上げ下げ窓と比べ、外障子をサッシ枠に取り付けるためのロッド棒、ストッパーといった部品点数が多いため上げ下げ窓のコストダウンや施工性の向上を図り難い。
【０００７】
本発明の目的は、面材が框材に接着された固定障子を枠体に容易に交換可能に設置できるとともに、固定障子を枠体に取り付けるための部品点数を少なくできる建具を提供す
ることにある。
【課題を解決するための手段】
【０００８】
本発明の建具は、中骨を有した枠体と、枠体に固定される固定障子と、枠体に可動に取り付けられる可動障子とを備えた建具であって、前記固定障子は、四方枠組みされた框材と、前記框材に装着された面材とを備え、前記枠組みされた框材のうちの一つの連結框は、当該中骨に沿って配置されて前記中骨に着脱可能に連結されることを特徴とする。
【０００９】
本発明の建具によれば、固定障子を枠体内に配置して連結框を枠体の中骨に取り付けることによって固定障子を枠体に連結し、逆に、連結框を中骨から取り外すことによって、固定障子を枠体内から取り出せるので、固定障子を容易に交換可能である。
また、枠体の中骨に対して連結框を取り付けることができるので、例えば特許文献２に記載の上げ下げ窓と比べ、左右のロッド棒、ストッパーなどの多くの部品を必要とせず、部品点数を少なくできる。このため、ロッド棒、ストッパーなどの各部品の寸法公差が積み重なることがなく、固定障子を枠体に所定通りに取り付けることができ、また、部品点数を少なくすることによって建具のコストダウンや施工工数の削減を図れる。
【００１０】
本発明の建具では、前記固定障子は、前記可動障子に対して室外側に位置し、前記中骨は、中骨室外片部を有し、前記連結框は、框室外片部を有し、前記框室外片部は、前記中骨室外片部を室外側から覆うように当該中骨室外片部に対して室外側に離間した位置に設けられる覆い部を有することが好ましい。
このような構成によれば、例えば室外側での火災時には、室外側に位置する框室外片部の覆い部は、火炎に直接に晒されて熱せられ、次第に融解する。しかし、覆い部の融解後においても、覆い部から室内側に離間した位置には中骨室外片部が残存しているため、この中骨室外片部によって火炎を遮断できる。このように、框室外片部の覆い部と中骨室外片部とによって二重の防火構造を構成することで耐火時間を延ばすことができ、防火性能の向上を図れる。
【００１１】
本発明の建具では、前記固定障子は、前記可動障子に対して室外側に位置し、前記中骨には、前記面材の室内面に接触する押縁が取り付けられ、前記連結框は、框室外片部を有し、前記框室外片部は、前記面材の室外面が接着されて当該室外面を支える支え部を有することが好ましい。
このような構成によれば、面材の室内面が中骨に取り付けられた押縁に接触しているため、連結框は、例えば面材の室内面を支える室内片部などの構成を備える必要がなく、面材の室外面を框室外片部の支え部によって支えることができればよい。このため、室内片部などの構成を省略でき、連結框の製造コストの削減を図れる。
【００１２】
本発明の建具では、前記建具は、前記固定障子が前記枠体の上部に固定され、前記可動障子が前記枠体の下部に上下動可能に取り付けられた片上げ下げ窓によって構成され、前記連結框は、框見込み片部を有し、前記中骨は、前記框見込み片部が載置される中骨見込み片部を有することが好ましい。
このような構成によれば、連結框を中骨に取り付ける際、框見込み片部を中骨見込み片部に載置することで、固定障子を枠体の上部に配置できる。このため、固定障子を枠体の上部に位置させておくために当該固定障子を持ち上げつづける必要がなく、固定障子の枠体への固定を簡単に行うことができる。
【００１３】
本発明の建具では、前記固定障子の上部は、前記枠体の上部に嵌合可能に構成され、前記框見込み片部は、前記中骨見込み片部に載置された状態で当該中骨見込み片部にビス止めされることが好ましい。
このような構成によれば、固定障子の上部を枠体の上部に嵌合させつつ、框見込み片部を中骨見込み片部に載置することで、固定障子を枠体内に簡単に配置でき、框見込み片部を中骨見込み片部に容易にビス止めできる。
また、固定障子の鉛直荷重は中骨見込み片部に支持されるので、框見込み片部と中骨見込み片部とのビス止め部分では、固定障子の鉛直荷重を支持する必要がなく、主に固定障子の見込み方向に生じうる荷重を受けられればよい。このため、例えば、連結框の上下方向に延びた部分と中骨の上下方向に延びた部分とがビス止めされる場合と比べ、ビス止め部分への負担を少なくできる。これにより、火災時等に前述したビス止め部分が熱せられた状態でも、当該ビス止め部分が破損する可能性を低減でき、固定障子を枠体内に安定してとどめておくことができ、防火性能の向上を図れる。
【発明の効果】
【００１４】
本発明によれば、面材が框材に接着された固定障子を枠体に容易に交換可能に設置できるとともに、固定障子を枠体に取り付けるための部品点数を少なくできる建具を提供できる。
【図面の簡単な説明】
【００１５】
【図１】本発明の実施形態に係る建具の室外側を示す正面図。
【図２】本発明の実施形態に係る建具を示す縦断面図。
【図３】前記実施形態に係る建具を示す横断面図。
【図４】前記実施形態に係る建具の召合せ部を示す縦断面図。
【図５】前記実施形態に係る建具の召合せ部の加熱発泡材の膨張時を示す縦断面図。
【図６】前記実施形態に係る建具の施工を説明するための縦断面図。
【発明を実施するための形態】
【００１６】
［本実施形態の構成］
以下、本発明の実施形態を図面に基づいて説明する。
図１〜３において、片上げ下げ窓１は、戸建て住宅等の建物の外壁開口部に設けられて建物の室内空間と室外空間とを仕切る本実施形態に係る建具であって、上枠２、下枠３および左右の縦枠４を四周枠組みした枠体である窓枠１０と、この窓枠１０の内側に支持された固定障子である外障子２０、可動障子である内障子３０および網戸４０とを備えて構成されている。
【００１７】
窓枠１０の上枠２、下枠３および左右の縦枠４は、アルミ製の押出し形材１１と室内側に位置するポリ塩化ビニル樹脂（ＰＶＣ）などの樹脂製材１２とが組み合わされた複合体によって形成されている。上枠２および左右の縦枠４の各樹脂製材１２は、ガラスパネル２４の室内面に接触して室内側からガラスパネル２４を支える支え部１２Ａを有している。
また、窓枠１０は、前述した構成に加えて、左右の縦枠４の上下方向の中間位置を連結している中骨５と、この中骨５に取り付けられる断面略Ｌ字状の押縁６とを備えている。
【００１８】
中骨５は、アルミ製の押出形材によって形成されており、図４に示すように、中骨室外片部５１と、中骨見込み片部５２と、中骨室内片部５３と、取付部５４と、係合部５５とを備えて構成されている。中骨室外片部５１は、中骨見込み片部５２の室外側端部に連続しており、中骨見込み片部５２の室内側端部は、中骨室内片部５３に連続している。中骨室内片部５３の上端部には、取付部５４が室外側に延出して設けられ、中骨室内片部５３の下端部には、係合部５５が室内側に延出して設けられている。
【００１９】
中骨室外片部５１は、中骨見込み片部５２の室外端部から下方に延出し、先端が室内側に折り曲げられて形成されている。中骨室外片部５１の先端は、網戸４０の上部に位置している。
中骨見込み片部５２には、その長手方向（横方向）に所定間隔を隔てて位置する複数の孔５２１が形成され、各孔５２１には、ビス５２２がそれぞれ挿通されている。
中骨室内片部５３の長手方向（横方向）の中央部分には、錠受け５６が取り付けられている。
【００２０】
取付部５４の室外端部は、断面略コ字状とされて室内側に開口する係合溝５４１が形成している。係合溝５４１には、押縁６が挿入されて係合している。
係合部５５は、見込み片部５５１と、立ち上がり片部５５２と、保持部５５３とを有している。見込み片部５５１は、中骨室内片部５３の下端部から室内側に延出して形成され、外障子２０と内障子３０との間を塞いでいる。立ち上がり片部５５２は、見込み片部５５１の先端から上方に立ち上がって形成され、閉鎖位置にある内障子３０の上框３１に形成された係合片３１Ａと係合している。保持部５５３は、見込み片部５５１から下方に突出して形成され、見込み片部５５１の下方において内障子３０に接触するシール材５５４を保持している。
なお、押縁６は、ガラスパネル２４の下端部露出部を覆っている。押縁６は、その上端でガラスパネル２４の室内面に接触している。
【００２１】
外障子２０は、図１〜３に示すように、上框２１、下框２２（連結框）および左右の縦框２３を四周框組みした框材の内部に、面材であるガラスパネル２４を嵌め込んで構成されている。上框２１、下框２２および左右の縦框２３は、アルミ製の押出し形材によって形成されている。本実施形態では、ガラスパネル２４は、外ガラスと内ガラスとがスペーサを挟んで設けられた複層ガラスによって構成され、外ガラスには防火用の網入りガラスが採用されている。
【００２２】
上框２１は、図２に示すように、上框室外片部２１１と、上框見込み片部２１２とを有して構成されている。上框室外片部２１１は、上框見込み片部２１２の室外端部から下方に延出して形成され、ガラスパネル２４の室外面の上部に接着されている。上框見込み片部２１２には、嵌合凹部２１２Ａが形成されており、この嵌合凹部２１２Ａには、上枠２に形成された嵌合凸部２Ａが嵌合している。また、上框見込み片部２１２には、ビスホール２１２Ｂが形成されており、このビスホール２１２Ｂにビス２０Ａが挿入されることによって、上框見込み片部２１２の両端は、後述する左右の縦框見込み片部２３２の上部にビス２０Ａによって連結されている。
【００２３】
下框２２は、図４に示すように、框室外片部である下框室外片部２２１と、框見込み片部である下框見込み片部２２２と、パネル受け部２２３（面材受け部）と、補強部２２４とを有して構成されている。
下框室外片部２２１は、下框見込み片部２２２の室外端部から上下方向両側に延出して形成され、上側部分にガラスパネル２４の室外面の下部が接着され、下側部分が中骨室外片部５１に対して室外側に離間して位置している。下框室外片部２２１の上部は、支え部２２１Ａとして構成され、下框室外片部２２１の下部は、覆い部２２１Ｂとして構成されている。支え部２２１Ａは、ガラスパネル２４の室外面の下部を室外側から支えている。覆い部２２１Ｂは、中骨室外片部５１を室外側から覆うように当該中骨室外片部５１に対して室外側に離間して位置している。覆い部２２１Ｂの室内面には、加熱発泡材２６が設けられている。また、覆い部２２１Ｂの下端は、室内側に折り曲げられている。
下框見込み片部２２２には、その長手方向（横方向）に所定間隔を隔てて位置する複数のビス孔２２２Ａが形成されている。下框見込み片部２２２は、中骨見込み片部５２の各孔５２１に挿通されたビス５２２が各ビス孔２２２Ａに螺合することによって、中骨見込み片部５２に連結されている。
【００２４】
パネル受け部２２３は、下框見込み片部２２２よりも上方に位置しているとともに、下框室外片部２２１から室内側に延出して形成されている。パネル受け部２２３には、複数のセッティングブロック２５が載置されている。各セッティングブロック２５上にはガラスパネル２４が載置されているので、パネル受け部２２３は、各セッティングブロック２５を介してガラスパネル２４の荷重を受けている。また、パネル受け部２２３には、ビスホール２２３Ａが形成されており、このビスホール２２３Ａにビス２０Ａが挿入されることによって、パネル受け部２２３の両端は、左右の縦框見込み片部２３２の下部にビス２０Ａによって連結されている。
補強部２２４は、上下方向に延びて形成され、パネル受け部２２３の室内端部と下框見込み片部２２２とに連続して設けられており、パネル受け部２２３を補強している。
【００２５】
左右の縦框２３は、図３に示すように、縦框室外片部２３１と、縦框見込み片部２３２とを有してそれぞれ構成されている。
右側の縦框室外片部２３１は、右側の縦框見込み片部２３２の室外端部から横方向両側に延出して形成され、横方向外側部分が右側の縦枠４に接触し、横方向内側部分がガラスパネル２４の室外面の右部に接着されている。
左側の縦框室外片部２３１は、左側の縦框見込み片部２３２の室外端部から横方向両側に延出して形成され、横方向外側部分が左側の縦枠４に接触し、横方向内側部分がガラスパネル２４の室外面の左部に接着されている。
左右の縦框見込み片部２３２の室内端部は、左右の縦枠４にそれぞれ接触している。
【００２６】
内障子３０は、上框３１、下框３２および左右の縦框３３を四周框組みした框材の内部に、ガラスパネル３４を嵌め込んで構成されている。上框３１、下框３２および左右の縦框３３は、アルミ製の押出し形材と室内側に位置するポリ塩化ビニル樹脂（ＰＶＣ）などの樹脂製材とが組み合わされた複合体によって形成されている。上框３１には、クレセント錠３５が取り付けられている。ガラスパネル３４は、外障子２０のガラスパネル２４と同様に形成されている。
【００２７】
外障子２０は、上枠２、左右の縦枠４および中骨５によって形成された開口に設けられ、内障子３０よりも室外側に位置している。
内障子３０は、外障子２０の室内側に沿って上下スライド可能に左右の縦枠４に支持されている。
内障子３０が窓枠１０の下部に位置して片上げ下げ窓１が閉じられた状態では、外障子２０の下框２２および窓枠１０の中骨５と、内障子３０の上框３１とが見込み方向に重なり、これによって召合せ部６０が形成される。
片上げ下げ窓１が閉じられた状態でクレセント錠３５を錠受け５６に係合されると、片上げ下げ窓１は施錠される。
なお、網戸４０は、中骨見込み片部５２の下方であって内障子３０よりも室外側に設けられている。
【００２８】
［外障子の組立］
以下、本実施形態に係る片上げ下げ窓１の外障子２０の施工手順について説明する。
先ず、各框２１〜２３を四周框組みし、この内部にガラスパネル２４を嵌め込み、加熱発泡材２６を下框室外片部２２１の下部である覆い部２２１Ｂに設置する。ガラスパネル２４の室外面は、各框２１〜２３の各室外片部２１１，２２１，２３１に接着する。このようにして外障子２０を形成する。
また、中骨５の取付部５４に押縁６を係合し、中骨室内片部５３に錠受け５６を取り付ける。ここで、錠受け５６は、下框２２ではなく中骨５に取り付けられるので、外障子２０を窓枠１０に固定する前であっても、内障子３０が窓枠１０に取り付けられていれば、内障子３０に取り付けられたクレセント錠３５に対応した位置に錠受け５６を設けることができ、施工性の向上を図れる。
次に、外障子２０を上枠２、縦枠４および中骨５によって形成される開口に吊り込む。この吊り込みでは、図６に示すように外障子２０を斜めに傾け、上框２１の嵌合凹部２１２Ａを上枠２の嵌合凸部２Ａに嵌合し、つづいて、外障子２０を垂直に起こし、下框見込み片部２２２を中骨見込み片部５２に載置する。そして、ビス５２２によって下框見込み片部２２２を中骨見込み片部５２に連結する。このようにして、図２に示すように外障子２０を窓枠１０に固定し、当該外障子２０の施工を完了する。なお、図６に二点鎖線で示される網戸４０は、外障子２０を窓枠１０に固定した後に、窓枠１０内に設置される。
【００２９】
［本実施形態の作用］
以下、本実施形態に係る片上げ下げ窓１の火災時における作用について説明する。
室外側で火災が発生した場合、片上げ下げ窓１の室外側は火炎に晒され、室外側から熱せられる。このように熱せられ、加熱発泡材２６が発泡温度にまで温度上昇すると発泡して膨張し、図５に示すように、中骨室外片部５１が室外側の火炎に晒されないように下框室外片部２２１と中骨室外片部５１との間を塞ぐ。
下框室外片部２２１がさらに熱せられ、下框室外片部２２１の下側部分が融解してしまっても、まだ中骨室外片部５１は残存しているため、この中骨室外片部５１によって室外側からの火炎を遮断し、召合せ部６０における耐火時間を延ばせる。
【００３０】
［本実施形態の効果］
（１）外障子２０を窓枠１０内に配置して下框見込み片部２２２を中骨見込み片部５２にビス止めすることによって外障子２０を窓枠１０に固定し、逆に、下框見込み片部２２２の中骨見込み片部５２へのビス止めを外すことによって、外障子２０を窓枠１０から取り出せるので、外障子２０を容易に交換可能である。
さらに、中骨５に対して下框２２を取り付けることができるので、例えば、下框２２を左右の縦枠４に取り付けるためのロッド棒、ストッパーなどの多くの部品を使用する必要がなく、部品点数を少なくできる。このため、多数の部品の寸法公差が積み重なることがなく、外障子２０を窓枠１０に所定通りに取り付けることができ、また、部品点数を少なくすることによって片上げ下げ窓１のコストダウンや施工工数の削減を図れる。
（２）室外側での火災時には、召合せ部６０において最も室外側に位置する下框室外片部２２１の覆い部２２１Ｂは、火炎に直接に晒されて熱せられ、次第に融解する。しかし、覆い部２２１Ｂの融解後においても、覆い部２２１Ｂから室内側に離間した位置には中骨室外片部５１が残存しているため、この中骨室外片部５１によって火炎を遮断できる。このように、熱だまりがおきやすい召合せ部６０において、下框室外片部２２１の覆い部２２１Ｂと中骨室外片部５１とによって二重の防火構造を構成することで耐火時間を延ばすことができ、片上げ下げ窓１全体としての防火性能の向上を図れる。
【００３１】
（３）ガラスパネル２４の室内面は、中骨５に取り付けられた押縁６に押さえられているため、下框２２は、例えばガラスパネル２４の室内面を支える室内片部などの構成を備える必要がなく、ガラスパネル２４の室外面を下框室外片部２２１の支え部２２１Ａによって支えることができればよい。このため、下框２２から室内片部などの構成を省略でき、下框２２の製造コストの削減を図れる。
また、外障子２０の各框２１〜２３の各室外片部２１１，２２１，２３１にガラスパネル２４が接着されているので、ガラスパネル２４の周縁部分の気密性、水密性を向上できる。
（４）下框２２を中骨５に取り付ける際、下框見込み片部２２２を中骨見込み片部５２に載置することで、外障子２０を窓枠１０内の上部に配置できる。このため、外障子２０を窓枠１０内の上部に位置させておくために当該外障子２０を持ち上げつづける必要がなく、外障子２０の窓枠１０への固定を簡単に行うことができる。
（５）上框２１の嵌合凹部２１２Ａを上枠２の嵌合凸部２Ａに嵌合させつつ、下框見込み片部２２２を中骨見込み片部５２に載置することで、外障子２０を窓枠１０内に簡単に配置でき、下框見込み片部２２２を中骨見込み片部５２に容易にビス止めできる。
また、外障子２０の鉛直荷重は中骨見込み片部５２に支持されるので、下框見込み片部２２２と中骨見込み片部５２とのビス止め部分では、外障子２０の鉛直荷重を支持する必要がなく、主に外障子２０の見込み方向に生じうる荷重を受けられればよい。このため、例えば、下框２２の上下方向に延びた部分と中骨５の上下方向に延びた部分とがビス止めされる場合と比べ、火災時に前述したビス止め部分が熱せられた状態でも、当該ビス止め部分が破損する可能性を低減でき、外障子２０を窓枠１０内に安定してとどめておくことができ、防火性能の向上を図れる。
【００３２】
［変形例］
なお、本発明は、以上の実施形態で説明した構成のものに限定されず、本発明の目的を達成できる範囲での変形例は、本発明に含まれる。
例えば、前記実施形態では、加熱発泡材２６は、下框室外片部２２１に設けられているが、これに限定されず、例えば、中骨室外片部５１の室外面や、下框見込み片部２２２の下面であって下框室外片部２２１と中骨室外片部５１との間に位置する部分に設けられていてもよい。
【００３３】
前記実施形態では、片上げ下げ窓１は、防火仕様として構成されているが、一般仕様として構成されていてもよい。この場合、ガラスパネル２４の外ガラスは、防火仕様の網入りガラスでなく、網入りではない一般仕様のガラスによって構成されていてよく、下框室外片部２２１は、下框見込み片部２２２から下方に延出した下側部分を有していなくてもよく、これに伴い、加熱発泡材２６の構成が省略されていてもよい。また、中骨５は、中骨室外片部５１を有していなくてもよい。
【００３４】
前記実施形態では、各框２１〜２３は、室内片部を有していないが、これに限定されず、室内片部をそれぞれ有し、ガラスパネル２４の室内面に接着されていてもよい。この場合、中骨５の取付部５４や押縁６の構成は省略される。
【００３５】
前記実施形態では、下框見込み片部２２２が中骨見込み片部５２にビス止めされているが、これに代えてまたは加えて、例えば、パネル受け部２２３や補強部２２４が中骨室内片部５３や取付部５４にビス５２２などによって取り付けられてもよい。
また、下框見込み片部２２２が中骨見込み片部５２に取り付けられない構成とされた場合には、下框見込み片部２２２は中骨見込み片部５２に載置されなくてもよい。
【００３６】
前記実施形態では、片上げ下げ窓１を建具としたが、これに限定されず、例えば、片引き窓などによって建具が構成されていてもよい。例えば、建具が片引き窓によって構成される場合、片引き窓は、縦中骨を有した窓枠と、窓枠に固定される外障子（固定障子）と、窓枠に横方向にスライド可能に取り付けられる内障子とを備え、外障子は、窓枠内に配置され、外障子の縦中骨側の縦框が当該縦中骨に取り付けられることによって窓枠に固定されるように構成されていてもよい。
【符号の説明】
【００３７】
１…片上げ下げ窓（建具）、２…上枠、２Ａ…嵌合凸部、３…下枠、４…縦枠、５…中骨、６…押縁、１０…窓枠、１１…押出し形材、１２…樹脂製材１２Ａ，２２１Ａ…支え部、２０…外障子、２０Ａ，５２２…ビス、２１，３１…上框、２２，３２…下框（連結框）、２３，３３…縦框、２４，３４…ガラスパネル（面材）、２５…セッティングブロック、２６…加熱発泡材、３０…内障子、３１Ａ…係合片、３５…クレセント錠、４０…網戸、５１…中骨室外片部、５２…中骨見込み片部、５３…中骨室内片部、５４…取付部、５５…係合部、５６…錠受け、６０…召合せ部、２１１…上框室外片部、２１２…上框見込み片部、２１２Ａ…嵌合凹部、２１２Ｂ，２２３Ａ…ビスホール、２２１…下框室外片部（框室外片部）、２２１Ｂ…覆い部、２２２…下框見込み片部（框見込み片部）、２２２Ａ…ビス孔、２２３…パネル受け部、２２４…補強部、２３１…縦框室外片部、２３２…縦框見込み片部、５２１…孔、５４１…係合溝、５５１…見込み片部、５５２…立ち上がり片部、５５３…保持部、５５４…シール材。
【図１】
2016069821.tif 000003
【図２】
2016069821.tif 000004
【図３】
2016069821.tif 000005
【図４】
2016069821.tif 000006
【図５】
2016069821.tif 000007
【図６】
2016069821.tif 000008